(57)【要約】【課題】ミストサウナの準備完了を正確に判断して報知精度を向上させたミストサウナ機能付き浴室暖房装置を提供する。【解決手段】浴室５内の温度を検出する浴室温度検出手段と、浴室内の湿度を検出する湿度検出手段と、ミストサウナ運転の開始時に計時を開始するタイマ２０（１６）と、少なくともタイマがタイムアップしたとき、ミストサウナの準備完了を報知する報知制御手段１８（１６）とを備える。報知制御手段１８は、タイムアップ遅延手段２２（１６）を備える。タイムアップ遅延手段２２は、タイマ２０が計時を開始してタイムアップするまでの間に、浴室の温度と浴室の湿度との少なくとも何れか一方の検出値が上昇から下降に転じたとき、その検出値が下降に転じてから下降に転じる直前の値に復帰するまでの時間に対応してタイマ２０のタイムアップを遅延させる。【選択図】図１
2014043995.tif 000002
【特許請求の範囲】
【請求項１】
浴室内を温風により暖房しつつ浴室内に湯を噴霧するミストサウナ運転を行うミストサウナ機能付き浴室暖房装置において、
浴室内の温度を検出する浴室温度検出手段と、浴室内の湿度を検出する湿度検出手段と、浴室内がミストサウナ状態となるのに要するミストサウナ準備時間に相当するタイムアップ時間が予め設定され、ミストサウナ運転の開始時に計時を開始するタイマと、少なくとも前記タイマがタイムアップしたとき、ミストサウナの準備完了を報知する報知制御手段とを備え、
前記報知制御手段は、前記タイマが計時を開始してタイムアップするまでの間に、前記浴室温度検出手段による検出温度と前記湿度検出手段による検出湿度との少なくとも何れか一方の検出値が、上昇から下降に転じ、その後下降に転じる直前の値に復帰するように変動したとき、前記検出値が下降に転じてから下降に転じる直前の値に復帰するまでの時間に対応して前記タイマのタイムアップを遅延させるタイムアップ遅延手段を備えることを特徴とするミストサウナ機能付き浴室暖房装置。
【請求項２】
請求項１記載のミストサウナ機能付き浴室暖房装置において、
前記報知制御手段は、前記タイマがタイムアップし、且つ、前記浴室温度検出手段による検出温度と前記湿度検出手段による検出湿度との少なくとも何れか一方の検出値が、ミストサウナの準備完了を示す所定の値以上となったときに、前記報知を行なうことを特徴とするミストサウナ機能付き浴室暖房装置。
【請求項３】
請求項１又は２記載のミストサウナ機能付き浴室暖房装置において、
前記タイムアップ遅延手段は、前記タイマが計時を開始してタイムアップするまでの間における前記検出値が上昇から下降に転じたとき、前記タイマに、タイムアップするまでの残り時間を維持して計時の停止を指示する計時停止指示手段と、該計時停止指示手段により前記タイマの計時が停止した後に前記検出値が下降に転じる直前の値に復帰したとき、前記タイマに、前記残り時間の計時の再開を指示する計時再開指示手段とを備えることを特徴とするミストサウナ機能付き浴室暖房装置。
【請求項４】
請求項１又は２記載のミストサウナ機能付き浴室暖房装置において、
前記タイムアップ遅延手段は、前記タイマが計時を開始してタイムアップするまでの間における前記検出値が下降に転じてから下降に転じる直前の値に復帰するまでの時間を採取する変動時間採取手段と、該変動時間採取手段により採取した時間を、予め設定されているタイムアップ時間に加算することにより前記タイマのタイムアップ時間を補正するタイムアップ時間補正手段とを備えることを特徴とするミストサウナ機能付き浴室暖房装置。
【発明の詳細な説明】
【技術分野】
【０００１】
本発明は、浴室内を温風により暖房しつつ浴室内に湯を噴霧して、サウナ効果を生じさせるミストサウナ機能を有する浴室暖房装置に関する。
【背景技術】
【０００２】
従来より、熱源機と、熱源機から循環供給される温水を用いて浴室を暖房する浴室暖房装置と、熱源機を遠隔操作するリモコンとを備えた温水暖房システムにおいて、台所等に設けられたリモコンと浴室に設けられた浴室暖房装置とを、熱源機を介して双方向に通信可能に構成し、リモコンによる浴室の暖房の開始指示を可能にすると共に、暖房により浴室の温度が設定温度に達したときに、リモコンによる報知（浴室の温度が適温になったことの報知）を行うようにした構成が提案されている（例えば、特許文献１参照）。
【０００３】
また、浴室暖房装置にミストノズルから湯を噴霧するミスト噴霧ユニットを組み込み、浴室を暖房しながらミストノズルから湯を噴霧することでサウナ効果を生じさせるミストサウナ機能を備えた構成が提案されている（例えば、特許文献２参照）。
【先行技術文献】
【特許文献】
【０００４】
【特許文献１】特開２００２−１９５５７８号公報
【特許文献２】特開２０１１−５２９２３号公報
【発明の概要】
【発明が解決しようとする課題】
【０００５】
特許文献２に記載された浴室暖房装置においては、浴室リモコンのミストスイッチがオン操作されたときに、暖房ユニットによる浴室内の暖房とミスト噴霧ユニットによる浴室内への湯の噴霧によるミストサウナ運転が開始される。そして、この場合に、特許文献１に記載された温水暖房システムのように、浴室内の温度が設定温度に達した時に報知を行って、浴室内がミストサウナの入り頃であるミストサウナ状態になったことを使用者に知らせることが考えられる。
【０００６】
しかし、浴室内の温度は、温度センサ等の設置位置によって検出温度の差が大きくなるおそれがある。また、浴室の広さや外気温等の影響で、例えば、ミストサウナ運転の開始時点での浴室の温度が比較的高い場合には、浴室内が充分な湿度に達していないにもかかわらず、浴室内が短時間のうちにミストサウナの設定温度（例えば３３℃等）に達してしまう。このため、浴室内がミストサウナ状態となったことを浴室内の温度が設定温度に達したことのみで判断すると、浴室内の加湿が不十分な状態であっても前記の報知が行われるおそれがある。
【０００７】
そして、このような不正確な報知により、浴室内がミストサウナの入り頃になったと思って入浴した使用者に、不快感を与えてしまうという不都合がある。
【０００８】
そこで、浴室内がミストサウナ状態となるのに要するミストサウナ準備時間に相当するタイムアップ時間を設定したタイマを設け、このタイマがタイムアップしたときにミストサウナの準備完了を報知することが考えられる。この場合には、浴室内の温度と湿度とが共に所定の値に達する所要時間をミストサウナ準備時間とし、ミストサウナ準備時間をタイムアップ時間として設定する。こうすることで、浴室内の温度が設定温度に達したことのみで判断した場合に比べて、報知精度を向上させることができる。
【０００９】
しかし、ミストサウナ運転が開始された後、タイマがタイムアップしないうちに浴室のドアが一時的に開閉されると、浴室内の温度や湿度が一時的に低下する。このため、タイマがタイムアップしても一時的に低下した浴室内の温度や湿度はミストサウナ状態となるまで充分に上昇せず、この状態でミストサウナの準備完了が報知されるおそれがある。
【００１０】
本発明はかかる不都合を解消して、ミストサウナの準備完了を正確に判断して報知精度を向上させたミストサウナ機能付き浴室暖房装置を提供することを目的とする。
【課題を解決するための手段】
【００１１】
かかる目的を達成するために、本発明は、浴室内を温風により暖房しつつ浴室内に湯を噴霧するミストサウナ運転を行うミストサウナ機能付き浴室暖房装置において、浴室内の温度を検出する浴室温度検出手段と、浴室内の湿度を検出する湿度検出手段と、浴室内がミストサウナ状態となるのに要するミストサウナ準備時間に相当するタイムアップ時間が予め設定され、ミストサウナ運転の開始時に計時を開始するタイマと、少なくとも前記タイマがタイムアップしたとき、ミストサウナの準備完了を報知する報知制御手段とを備え、前記報知制御手段は、前記タイマが計時を開始してタイムアップするまでの間に、前記浴室温度検出手段による検出温度と前記湿度検出手段による検出湿度との少なくとも何れか一方の検出値が、上昇から下降に転じ、その後下降に転じる直前の値に復帰するように変動したとき、前記検出値が下降に転じてから下降に転じる直前の値に復帰するまでの時間に対応して前記タイマのタイムアップを遅延させるタイムアップ遅延手段を備えることを特徴とする。
【００１２】
上記構成において、ミストサウナ運転が開始されると、タイマが作動を開始する。ミストサウナ運転の開始とは、例えば、使用者がミストサウナ運転の開始を指示する操作を行ったとき、又は、浴室内にミストが噴霧され始めたとき等を挙げることができる。
【００１３】
そして、タイマがタイムアップすると報知制御手段がミストサウナの準備完了を報知する。タイマには、浴室内がミストサウナ状態となるのに要するミストサウナ準備時間に相当するタイムアップ時間が予め設定されているので、報知制御手段による報知が行われれば、浴室内がミストサウナの入り頃であるミストサウナ状態になっている。
【００１４】
一方、タイマが計時を開始してタイムアップするまでの間に、浴室温度検出手段による検出温度と湿度検出手段による検出湿度との少なくとも何れか一方の検出値が、上昇から下降に転じ、その後下降に転じる直前の値に復帰するように変動することがある。このような前記検出値の変動は、例えば、使用者によって浴室のドアが一時的に開閉されたことによって生じる。
【００１５】
そこで、本発明においては、タイムアップ遅延手段が、前記検出値が下降に転じてから下降に転じる直前の値に復帰するまでの時間に対応して前記タイマのタイムアップを遅延させる。こうすることにより、タイマが計時している最中に浴室のドアが一時的に開閉されても、浴室内がミストサウナ状態となるまでタイマがタイムアップすることがなく、報知精度を向上させることができる。
【００１６】
また、本発明において、前記報知制御手段は、前記タイマがタイムアップし、且つ、前記浴室温度検出手段による検出温度と前記湿度検出手段による検出湿度との少なくとも何れか一方の検出値が、ミストサウナの準備完了を示す所定の値以上となったときに、前記報知を行なうことが好ましい。
【００１７】
浴室温度検出手段や湿度検出手段による検出値は、浴室温度検出手段や湿度検出手段の設置位置によって誤差が生じるおそれがあり、浴室温度検出手段や湿度検出手段が設置された位置での検出値がミストサウナの準備完了を示す所定の値以上となっても、浴室全体がミストサウナの準備完了を示す所定の値以上となっているとは限らない。しかし、本発明においては、前記タイマがタイムアップしたときに、更に前記検出値が所定の値以上となったときに報知を行なうので、ミストサウナの準備完了を前記検出値から確実に確認することができ、報知精度を一層向上させることができる。
【００１８】
また、本発明における前記タイムアップ遅延手段の一態様として、前記タイムアップ遅延手段は、前記タイマが計時を開始してタイムアップするまでの間における前記検出値が上昇から下降に転じたとき、前記タイマに、タイムアップするまでの残り時間を維持して計時の停止を指示する計時停止指示手段と、該計時停止指示手段により前記タイマの計時が停止した後に前記検出値が下降に転じる直前の値に復帰したとき、前記タイマに、前記残り時間の計時の再開を指示する計時再開指示手段とを備えることを特徴とする。
【００１９】
この態様によると、タイマが作動を開始した後、タイマがタイムアップしないうちに前記検出値が上昇から下降に転じると、前記計時停止指示手段がタイマにタイムアップするまでの残り時間を維持して計時の停止を指示する。その後、前記検出値が下降に転じる直前の値に復帰すると、前記計時再開指示手段がタイマに前記残り時間の計時の再開を指示する。こうすることで、タイマが計時を開始してタイムアップするまでの間に前記検出値が下降に転じてから下降に転じる直前の値に復帰するまでの間はタイマが停止し、タイマが停止していた時間だけタイムアップを遅延させることができる。
【００２０】
これにより、タイマが計時している最中に浴室のドアが一時的に開閉されても、浴室内がミストサウナ状態となるまでタイマがタイムアップすることがなく、報知精度を向上させることができる。
【００２１】
また、本発明における前記タイムアップ遅延手段の他の態様として、前記タイムアップ遅延手段は、前記タイマが計時を開始してタイムアップするまでの間における前記検出値が下降に転じてから下降に転じる直前の値に復帰するまでの時間を採取する変動時間採取手段と、該変動時間採取手段により採取した時間を、予め設定されているタイムアップ時間に加算することにより前記タイマのタイムアップ時間を補正するタイムアップ時間補正手段とを備えることを特徴とする。
【００２２】
この態様によると、タイマが作動を開始した後、タイマがタイムアップしないうちに前記検出値が上昇から下降に転じると、前記変動時間採取手段が、前記検出値が下降に転じる直前の値に復帰するまでの時間（変動時間）を採取する。次いで、タイムアップ時間補正手段が、変動時間採取手段により採取した時間を、予め設定されているタイムアップ時間に加算してタイムアップ時間を補正する。こうすることで、タイマが計時を開始してタイムアップするまでの間に前記検出値が下降に転じてから下降に転じる直前の値に復帰するまでの時間だけタイマのタイムアップを遅延させることができる。
【００２３】
これにより、タイマが計時している最中に浴室のドアが一時的に開閉されても、浴室内がミストサウナ状態となるまでタイマがタイムアップすることがなく、報知精度を向上させることができる。
【図面の簡単な説明】
【００２４】
【図１】浴室暖房装置の要部の概略構成を示す説明図。
【図２】暖房コントローラの構成を模式的に示すブロック図。
【図３】本実施形態によるミストサウナ運転のフローチャート。
【図４】他の実施形態によるミストサウナ運転のフローチャート。
【発明を実施するための形態】
【００２５】
本実施形態のミストサウナ機能付き浴室暖房装置は、図１に示す暖房ユニット１と、図外のミスト噴霧ユニットとを備えている。暖房ユニット１は、図１に示すように、その下面に吸込み口２及び吹出し口３が形成された筐体４を備え、浴室５の天井部６に配置されている。
【００２６】
暖房ユニット１の筐体４の内部には、吸込み口２から吹出し口３に至る通風路を画成する通風ケース７と、通風ケース７内に配置されて、浴室５内の空気を通風ケース７内の通風路を介して循環させる循環ファン８と、周囲の空気を加熱する暖房用放熱器９とが収容されている。
【００２７】
更に、暖房ユニット１の筐体４の吸込み口２の付近には、浴室５の室温を検出する浴室温度センサ１０（浴室温度検出手段）と、浴室５の湿度を検出する浴室湿度センサ１１（湿度検出手段）とが配設されている。
【００２８】
本実施形態では、浴室温度センサ１０としてサーミスタを用い、浴室湿度センサ１１として絶対湿度センサを用いている。浴室湿度センサ１１として絶対湿度センサを用いているので、浴室の絶対湿度を直接検出することができる。
【００２９】
なお、浴室湿度センサ１１として相対湿度センサを用いてもよい。相対湿度センサを用いた場合には、温度毎の飽和水蒸気量のデータを予めメモリに保持し、検出した相対湿度を浴室温度センサ１０の検出温度に基づいて絶対湿度に変換する処理を行えばよい。
【００３０】
循環ファン８は、吸込み口２から通風ケース７内に浴室５の空気を強制的に取込み、吹出し口３から浴室５に吹出す。このとき、暖房用放熱器９は、通風ケース７内に取り込んだ浴室５の空気を加熱して温風を生成する。これにより、吹出し口３からは温風が吹き出して浴室５が暖房される。
【００３１】
暖房用放熱器９は、図外の熱媒循環路の一部を構成している熱媒往き管１２と熱媒戻り管１３とに接続されている。熱媒循環路は、図示しないが、熱源機の暖房用バーナで加熱される暖房用熱交換器に接続されており、この熱媒循環路には水或いは不凍液等からなる熱媒体が循環する。
【００３２】
ミスト噴霧ユニットは、ミストノズル１４と、ミストノズル１４に接続されたミスト水路１５とを備えている。ミストノズル１４は、暖房ユニット１の筐体４に設けられ、温風と共に浴室５に湯を噴霧する。ミスト水路１５は、図示しないが、前記熱媒循環路の熱媒体と熱交換を行う液液熱交換器に接続されており、ミスト水路１５の内部を流通する水道水等のミスト用水が熱媒循環路の熱媒体により液液熱交換器を介して加熱される。
【００３３】
また、筐体４内部には、暖房ユニット１及びミスト噴霧ユニットを制御する暖房コントローラ１６が設けられている。
【００３４】
暖房コントローラ１６は、ＣＰＵやメモリ等により構成された電子ユニットであり、メモリに保持された制御用プログラムをＣＰＵで実行することによって、図２に示すように、暖房運転及びミストサウナ運転等を実行する暖房運転制御部１７、浴室５がミストサウナ状態となったときにミストサウナの準備完了を報知するための制御を行う報知制御部１８（本発明における報知制御手段）、及び、ミストサウナ運転の実行時間を計時する運転タイマ１９としての機能を備えている。
【００３５】
報知制御部１８は、浴室５がミストサウナ状態となるまでの準備時間を計時するミストサウナ準備タイマ２０（本発明におけるタイマ）、ミストサウナ準備タイマ２０のタイムアップ時間を設定するタイムアップ時間設定部２１、ミストサウナ準備タイマ２０のタイムアップを遅延させる処理を行うタイムアップ遅延処理部２２（タイムアップ遅延手段）を機能として備えている。そして、本実施形態におけるタイムアップ遅延処理部２２は、図示しないが、ミストサウナ準備タイマ２０に計時停止を指示する計時停止指示手段及びミストサウナ準備タイマ２０に計時再開を指示する計時再開指示手段として機能する。
【００３６】
暖房コントローラ１６は上述した熱源機に設けられる熱源コントローラ２３に通信可能に接続されている。熱源コントローラ２３には、浴室リモコン２４及び台所リモコン２５が通信可能に接続されている。
【００３７】
浴室リモコン２４のミストスイッチ（図示しない）の操作によってミストサウナ運転の開始が指示されると、その信号が熱源コントローラ２３を介して暖房コントローラ１６に送信され、ミストサウナ運転が開始される。
【００３８】
そして、暖房コントローラ１６は、浴室５内がミストサウナ状態（例えば、室温３３℃以上、且つ絶対湿度３０g/m3）となったタイミングで、浴室リモコン２４及び台所リモコン２５による報知を行なう処理を実行する。以下、図３に示したフローチャートに従って、この処理について説明する。なお、図示しないが、浴室リモコン２４及び台所リモコン２５には、夫々、音声による報知器やＬＥＤによる報知ランプが設けられている。
【００３９】
暖房コントローラ１６は、浴室リモコン２４のミストスイッチがＯＮされると、図３のＳＴＥＰ１でミストサウナ運転の開始指示を認識し、ＳＴＥＰ２に進む。
【００４０】
ＳＴＥＰ２において、タイムアップ時間設定部２１は、予め記憶されたデータテーブルに基づいて、浴室温度センサ１０の検出温度に応じたタイムアップ時間を設定する。なお、データテーブルにおける浴室の温度とタイムアップ時間との関係では、浴室の温度が低いほど長いタイムアップ時間が対応している。
【００４１】
続くＳＴＥＰ３で、運転タイマ１９をスタートさせる。運転タイマ１９は、ミストサウナ運転の実行時間がタイムアップ時間とされている。ミストサウナ運転の実行時間は、浴室リモコン２４の操作によって設定が可能であり、初期設定は１時間になっている。
【００４２】
次いで、ＳＴＥＰ４で、暖房運転制御部１７は、ミストサウナ運転を開始し、浴室５の温風暖房とミストノズル１４からの噴霧が開始される。これにより浴室５の温度及び湿度が次第に上昇する。
【００４３】
次いで、ＳＴＥＰ５で、報知制御部１８は、ミストサウナ準備タイマ２０をスタートさせ、続くＳＴＥＰ６でミストサウナ準備タイマ２０のタイムアップを待つ。
【００４４】
そして、ＳＴＥＰ６でミストサウナ準備タイマ２０がタイムアップすると、ＳＴＥＰ７に進む。ＳＴＥＰ７で浴室湿度センサ１１の検出湿度がミストサウナの準備完了を示す所定の値（本実施形態では、絶対湿度３０g/m3）以上となると、報知制御部１８は、ＳＴＥＰ８に進んで、浴室リモコン２４及び台所リモコン２５に対して、ミストサウナ準備完了の報知を指示する。
【００４５】
これにより、浴室リモコン２４及び台所リモコン２５においては、ミストサウナの準備完了を知らせる報知（ＬＥＤの点灯や「ミストサウナの準備が完了しました」との音声出力等）が行われる。
【００４６】
その後、ＳＴＥＰ９において運転タイマがタイムアップすると、ＳＴＥＰ１０に進んで、暖房運転制御部１７が浴室５の温風暖房とミストノズル１４からの噴霧を停止させ、処理を終了する。
【００４７】
一方、ＳＴＥＰ６でミストサウナ準備タイマ２０のタイムアップを待っている間に、ＳＴＥＰ１１で浴室温度センサ１０の検出温度が上昇から低下に転じると、ＳＴＥＰ１２に進む。ＳＴＥＰ１１で浴室温度センサ１０の検出温度が上昇から低下に転じるのは、浴室５のドアが開閉されたこと等が考えられる。
【００４８】
そして、ＳＴＥＰ１２に進むと、ミストサウナ準備タイマ２０は、タイムアップ遅延処理部２２の機能である計時停止指示手段からの指示により計時を停止させる。このとき、計時停止指示手段はミストサウナ準備タイマ２０がタイムアップするまでの残りの時間を維持してミストサウナ準備タイマ２０を停止させる。
【００４９】
その後、ＳＴＥＰ１３で浴室温度センサ１０により浴室５の温度低下直前の温度への復帰が検出されると、ＳＴＥＰ１４に進む。そして、ＳＴＥＰ１４に進むと、ミストサウナ準備タイマ２０は、タイムアップ遅延処理部２２の機能である計時再開指示手段の指示により計時を再開し、ＳＴＥＰ６に戻る。このとき、ミストサウナ準備タイマ２０は、ＳＴＥＰ１２において計時を停止した時点でのタイムアップまでの残り時間を計時する。
【００５０】
こうすることにより、ミストサウナ準備タイマ２０が計時している最中に浴室５のドアが開閉されて浴室５の温度が一時的に低下しても、その温度低下が生じている間はミストサウナ準備タイマ２０の計時が停止される。従って、ミストサウナ準備タイマ２０のタイムアップが結果的に遅延した状態となり、浴室５がミストサウナ状態になる前にミストサウナ準備タイマ２０がタイムアップすることがない。
【００５１】
なお、本実施形態においては、ＳＴＥＰ７で、浴室湿度センサ１１の検出湿度を用いているが、これに替えて、浴室温度センサ１０の検出温度を用いてもよく、或いは、浴室温度センサ１０の検出温度と浴室湿度センサ１１の検出湿度との両方を用いてもよい。
【００５２】
また、本実施形態においては、ＳＴＥＰ１１とＳＴＥＰ１３とで、浴室温度センサ１０の検出温度を用いているが、これに替えて、浴室湿度センサ１１の検出湿度を用いてもよく、或いは、浴室温度センサ１０の検出温度と浴室湿度センサ１１の検出湿度との両方を用いてもよい。
【００５３】
次に、他の実施形態について説明する。他の実施形態においては、図２に示す報知制御部１８において、タイムアップ遅延処理部２２（タイムアップ遅延手段）の構成が異なるのみで、それ以外の構成は前述の実施形態と同一である。
【００５４】
他の実施形態におけるタイムアップ遅延処理部２２は、図示しないが、浴室温度センサ１０の検出温度が上昇から低下に転じたときにその時点のミストサウナ準備タイマ２０の計時時間（タイマ時間Ｔ１）を記憶すると共に浴室温度センサ１０の検出温度が低下直前の温度に復帰したときにその時点のミストサウナ準備タイマ２０の計時時間（タイマ時間Ｔ２）を記憶し、更にタイマ時間Ｔ１とタイマ時間Ｔ２との時間差を算出することにより変動時間を採取する変動時間採取手段、及び、タイムアップ時間設定部２１において先に設定したミストサウナ準備タイマ２０のタイムアップ時間に上記変動時間を加算してタイムアップ時間を補正するタイムアップ時間補正手段として機能する。
【００５５】
このように構成した他の実施形態における報知制御部１８の処理を、図４に示したフローチャートに従って説明する。
【００５６】
図４において、ＳＴＥＰ１〜ＳＴＥＰ１０は、図３のフローチャートと同一であることにより、その説明を省略する。
【００５７】
図４を参照して、ＳＴＥＰ６でミストサウナ準備タイマ２０のタイムアップを待っている間に、ＳＴＥＰ１５で浴室温度センサ１０の検出温度が上昇から低下に転じると、ＳＴＥＰ１６に進み、タイムアップ遅延処理部２２の機能である変動時間採取手段により、その時点のタイマ時間Ｔ１を記憶する。
【００５８】
その後、ＳＴＥＰ１７で浴室温度センサ１０により浴室５の温度低下直前の温度への復帰が検出されると、ＳＴＥＰ１８に進み、タイムアップ遅延処理部２２の機能である変動時間採取手段により、その時点のタイマ時間Ｔ２を記憶する。
【００５９】
次いで、ＳＴＥＰ１９に進んで、変動時間採取手段がタイマ時間Ｔ１とタイマ時間Ｔ２との時間差を変動時間として算出し、ＳＴＥＰ２０に進む。ＳＴＥＰ２０に進むと、タイムアップ遅延処理部２２の機能であるタイムアップ時間補正手段によりＳＴＥＰ２において設定したミストサウナ準備タイマ２０のタイムアップ時間を補正し、ＳＴＥＰ６へ戻る。
【００６０】
ＳＴＥＰ２０でのタイムアップ時間補正手段による処理は、具体的には、ＳＴＥＰ１９で算出された変動時間を、ＳＴＥＰ２において設定したタイムアップ時間に加算することによりタイムアップ時間を補正する。こうすることにより、ミストサウナ準備タイマ２０が計時している最中に浴室５のドアが開閉されて浴室５の温度が一時的に低下しても、その温度低下が生じている時間（変動時間）だけタイムアップ時間が長くなり、ミストサウナ準備タイマ２０のタイムアップが結果的に遅延した状態となる。これにより、浴室５がミストサウナ状態になる前にミストサウナ準備タイマ２０がタイムアップすることがない。
【００６１】
なお、ＳＴＥＰ１６及びＳＴＥＰ１８では、ミストサウナ準備タイマ２０を用いて変動時間を算出しているが、これに替えて、浴室温度センサ１０の検出温度が上昇から低下に転じたときから低下直前の温度に復帰するまでの時間を計時する計時手段を報知制御部１８に設けてもよい。これによれば、タイマ時間Ｔ１とタイマ時間Ｔ２との時間差を算出するような演算を行うことなく変動時間を採取することができる。
【００６２】
また、他の実施形態においても、ＳＴＥＰ１５とＳＴＥＰ１７とで、浴室温度センサ１０の検出温度を用いているが、これに替えて、浴室湿度センサ１１の検出湿度を用いてもよく、或いは、浴室温度センサ１０の検出温度と浴室湿度センサ１１の検出湿度との両方を用いてもよい。
【符号の説明】
【００６３】
５…浴室、１０…浴室温度センサ（浴室温度検出手段）、１１…浴室湿度センサ（湿度検出手段）、２０…ミストサウナ準備タイマ（タイマ）、１８…報知制御部（報知制御手段）、２２…タイムアップ遅延処理部（タイムアップ遅延手段）。
【図１】
2014043995.tif 000003
【図２】
2014043995.tif 000004
【図３】
2014043995.tif 000005
【図４】
2014043995.tif 000006